(57)【特許請求の範囲】
【請求項１】
後ケースと前ケースとから構成される室内機の前記前ケースに設けられた被調和室内の空気を取り込む吸込パネル、この空気に含まれる粉塵を取り除くエアフィルタ、このエアフィルタを直脱自在に保持すると共に昇降自在に駆動する昇降着脱機構、前記エアフィルタで粉塵を除去された空気を調温／調湿する熱交換器、このされた空気を前記被調和室へ吹出口を介して供給する送風ファンを備えた空気調和機において、
前記昇降着脱機構を前記後ケースへと固定し、前記熱交換器の前面に並行に設けられた前記昇降着脱機構のガイド部の裏面に前記エアフィルタからの空気の温度等を検出するセンサー部を着脱自在に備えることを特徴とする空気調和機。
【請求項２】
前記センサー部は、室温センサーを着脱自在に備えることを特徴とする請求項１に記載の空気調和機。
【請求項３】
前記センサー部は、室温センサーと湿度センサーとを着脱自在に備えることを特徴とする請求項１に記載の空気調和機。
【請求項４】
前記センサー部は、室温センサーを搭載した基板を着脱自在に備えることを特徴とする請求項１に記載の空気調和機。
【請求項５】
前記センサー部は、室温センサーと湿度センサーとを搭載した基板を着脱自在に備えることを特徴とする請求項１に記載の空気調和機。
【発明の詳細な説明】
【０００１】
【発明の属する技術分野】
この発明はエアフィルタの清掃作業の容易な空気調和機のセンサー部の取付に関する。
【０００２】
【従来の技術】
従来から、空気調和機には空気中の塵を除塵するエアフィルタが設けられていた。そして、このエアフィルタの清掃を更に容易にするため、エアフィルタを内部に備えた空気調和機の吸込パネルを上下に昇降自在に設けることが考えられた。
この種の従来の空気調和機として、例えば、特開平８−２８５３１８号公報に記載の空気調和機が提案されていた。
【０００３】
上記公報に記載の空気調和機は、その空気調和機の吸込パネルの内部に着脱自在にエアフィルタを備え、更にその吸込パネルの上下方向にラックを設けると共に室内機の本体にラックと噛合うピニオン及びこのピニオンを回転駆動するモータを設けたものであった。
【０００４】
上述した空気調和機は、通常室内の壁面に据付板を介して人の背丈以上の高さに据え付けられ、エアフィルタが汚れたときには、吸込パネルを下部に降下してエアフィルタを脱着／清掃することが出来た。
【０００５】
【発明が解決しようとする課題】
しかし、上述した空気調和機においては、吸込パネルを昇降する構造となっていたため、空気の温度等を検出するセンサー部は別に設けていた。
【０００６】
そこで、本発明は、上述の点に考慮して、エアフィルタを安全、容易に清掃できるようにする昇降着脱機構を備えると共にこの昇降着脱機構にセンサー部を備えた空気調和機を提供することを目的とする。
【０００７】
【課題を解決するための手段】
上記課題を解決するため、請求項１にかかる発明は、後ケースと前ケースとから構成される室内機の前記前ケースに設けられた被調和室内の空気を取り込む吸込パネル、この空気に含まれる粉塵を取り除くエアフィルタ、このエアフィルタを着脱自在に保持すると共に昇降自在に駆動する昇降着脱機構、エアフィルタで粉塵を除去された空気を調温／調湿する熱交換器、この調温／調湿された空気を被調和室へ吹出口を介して供給する送風ファンを備えた空気調和機において、前記昇降着脱機構を前記後ケースへと固定し、前記熱交換器の前面に並行に設けられた前記昇降着脱機構のガイド部の裏面にエアフィルタからの空気の温度等を検出するセンサー部を着脱自在に備えることを特徴とする。
【０００８】
請求項２にかかる発明は、センサー部は、室温センサーを着脱自在に備えることを特徴とする。
【０００９】
請求項３にかかる発明は、センサー部は、室温センサーと湿度センサーとを着脱自在に備えることを特徴とする。
【００１０】
請求項４にかかる発明は、センサー部は、室温センサーを搭載した基板を着脱自在に備えることを特徴とする。
【００１１】
請求項５にかかる発明は、センサー部は、室温センサーと湿度センサーとを搭載した基板を着脱自在に備えることを特徴とする。
【００１２】
【発明の実施の形態】
本発明の実施例を図１乃至図4を参照して説明する。図１は、本発明の実施例を示す空気調和機の略中央断面の説明図で後述する昇降着脱機構が下降時を示している。
【００１３】
図１において、１は空気調和機の室内機で、室外機（図示せず）とユニット間配管で接続されて空気調和機を構成する。
【００１４】
この室内機１のケースは、前面側の前ケース部２Ａと、この前ケース部２Ａの前部に設けられ室内の空気の吸気口を備えた吸込パネル２Ｂと、背面側の後ケース部２Ｃとで構成されている。
【００１５】
４は室内の空気を調温／調湿する熱交換器で、その配管内を冷媒が通過することにより、冷房／除湿運転時に冷却器として機能し、暖房運転時には加熱器として機能するものである。
【００１６】
５は室内の空気を吸込パネル２Ｂから吸い込み、熱交換器４で調温／調湿して再び室内に循環させる送風ファン、６は熱交換器４からのドレン水を溜め排出するためのドレンパン、７は送風ファン５により吸引される室内の空気の比較的大きな塵を除塵するエアフィルタ、８はエアフィルタ７を通過した室内の空気の比較的細かい塵を更に除塵する空気清浄フィルタ、２０はエアフィルタ７と空気清浄フィルタ８とを着脱自在に昇降させる昇降着脱機構、３０は本発明にかかるセンサー部である。
【００１７】
９は送風ファン５で加速され再び室内に吹き出される冷風／温風の吹出口、９Ａは吹出口９に取付られて吹出口９から吹き出す冷風／温風の風向を制御する上下風向偏向羽根、９Ｂは同じく左右風向偏向羽根である。
【００１８】
図２は本発明の実施例を示す空気調和機の室内機１の斜視説明図で、昇降着脱機構２０の下降時を示している。図３は本発明の実施例を示す空気調和機の昇降着脱機構２０の正面説明図で、昇降着脱機構２０の下降時を示している。
【００１９】
図１乃至図３に示すように、昇降着脱機構２０は、ガイド部１２とフィルタ保持部１０と駆動部１３とセンサー部３０とで構成されている。
【００２０】
ガイド部１２は、熱交換器４の前面の両端に平行に設けられ断面がコの字状のガイド１２Ｂと、このガイド１２Ｂにつながり熱交換器４の上部を覆う断面がコの字状で且つ略Ｌ字状に曲がったガイド１２Ａと、熱交換器４の左右一対のガイド１２Ｂ同士を連結する横桟１２Ｃとで構成され、フィルタ保持部１０で保持されるエアフィルタ７の昇降を誘導するものである。
【００２１】
またガイド部１２はガイド１２Ａの上端部を後ケース部２Ｃに固定され、ガイド１２Ｂの下部をドレンパン６に固定されている。
【００２２】
図３に示すように、ガイド部１２の横桟１２Ｃの右端の裏面には、後述するセンサー部３０を着脱自在に固定するセンサー部固定ガイド１２ＣＡが設けられている。
【００２３】
フィルタ保持部１０はエアフィルタ７と空気清浄フィルタ８とを着脱自在に保持する第１のフィルタ保持部１０Ｂと、この第１のフィルタ保持部１０Ｂを直線に沿って移動させ第１のフィルタ保持部１０Ｂの移動距離を増すための第２のフィルタ保持部１０Ａとで構成されている。
【００２４】
ガイド部１２のガイド１２Ｂ内には第２のフィルタ保持部１０Ａがガイド１２Ｂに沿って上下に移動可能に設けられており、第２のフィルタ保持部１０Ａにはラック１０ＡＢが成形されておりこのラック１０ＡＢにかみ合うピニオン１３Ｂ及びこのピニオン１３Ｂを駆動させる駆動部１３がガイド部１２の右側面に設けられている。
【００２５】
第１のフィルタ保持部１０Ｂは、第２のフィルタ保持部１０Ａの移動方向と同方向に移動（スライド）可能に構成されると共に、エアフィルタ７と空気清浄フィルタ８とを保持し、自身の昇降と共にエアフィルタ７と空気清浄フィルタ８とを昇降させるもので、また第１のフィルタ保持部１０Ｂの昇降を第２のフィルタ保持部１０Ａの昇降に連動させるためのベルト１３Ｅがその背面の結合部１０ＢＫに固定されている。
【００２６】
上述した駆動部１３は、モータ１３Ａをガイド部１２の右側面に固定する固定部１３Ｄと左右一対のピニオン１３Ｂとそれらピニオン１３Ｂを同期して回転させるための連結軸１３Ｃと固定部１３Ｄの両端部の上下にその両端を固定されると共に第２のフィルタ保持部１０Ａの移動方向に沿って配置され第１のフィルタ保持部１０Ｂ背面の結合部１０ＢＫに結合されたベルト１３Ｅ等で構成されている。
【００２７】
なお、モータ１３Ａには例えば正逆回転可能なステッピングモータが用いられている。
【００２８】
上述した第２のフィルタ保持部１０Ａは、断面が略コの字状に構成されると共に、裏面側のガイド１０ＡＡ同士を連結する横桟とを備え、さらに左右一対のガイド１０ＡＡの側面上部には係合部１０ＡＤが設けられ、また第２のフィルタ保持部１０Ａの裏面側にはラック１０ＡＢが一体に成形され、且つ、第２のフィルタ保持部１０Ａの上端と下端にベルト１３Ｅを第２のフィルタ保持部１０Ａ内に導くガイドローラ１０ＡＣが設けられている。
【００２９】
又、第２のフィルタ保持部１０Ａは、その係合部１０ＡＤがガイド部１２のガイド１２Ｂに形成された溝に沿って移動可能であり、且つ、そのラック１０ＡＢが駆動部１３のピニオン１３Ｂにより駆動されるので、第２のフィルタ保持部１０Ａはガイド１２Ｂの溝に沿って昇降自在となる。
【００３０】
上述した第１のフィルタ保持部１０Ｂは、左右一対の断面がＬの字状のガイド１０ＢＡとそれらガイド１０ＢＡを連結すると共に空気清浄フィルタ８を保持する格子状の桟１０ＢＢと桟１０ＢＢの下部にエアフィルタ７を保持する保持部１０ＢＣとガイド１０ＢＡの裏面上部にベルト１３Ｅが結合されている結合部１０ＢＫとから構成されている。
【００３１】
又、第１のフィルタ保持部１０Ｂは、その両端部が、第２のフィルタ保持部１０Ａのガイド１０ＡＡにガイドされ、且つ、駆動部１３のベルト１３Ｅにより誘導されることによって第２のフィルタ保持部１０Ａの移動方向（昇降方向）に沿って第２のフィルタ保持部１０Ａよりさらに下降することが可能となっている。
【００３２】
エアフィルタ７は保持部１０ＢＣのリブ１０ＢＤにエアフィルタ７のラッチ７Ｄが嵌合して固定され、第１のフィルタ保持部１０Ｂと共に昇降自在となっている。
【００３３】
又、エアフィルタ７は、ポリプロピレン等の軟質の材料で形成されていることにより、エアフィルタ７がガイド部１２のガイド１２Ａに添ってＬ字状に曲がりながら収納することができる。
【００３４】
図１乃至３に基づいて、駆動部１３のベルト１３Ｅの配置について説明する。
【００３５】
駆動部１３の固定部１３Ｄの上部に一端を固定されたベルト１３Ｅは、垂直に昇って、第２のフィルタ保持部１０Ａの上端のガイドローラ１０ＡＣまで張られ、ガイドローラ１０ＡＣで真下に向きを変えて下り、第１のフィルタ保持部１０Ｂの結合部１０ＢＫにベルト１３Ｅが固定されている。
【００３６】
第１のフィルタ保持部１０Ｂの結合部１０ＢＫから出たベルト１３Ｅは、真下に下って第１のフィルタ保持部１０Ａの下端のガイドローラ１０ＡＣまで張られ、ガイドローラ１０ＡＣで真上に向きを変えて昇り、駆動部１３の固定部１３Ｄの下部に他端を固定されている。
【００３７】
ここで、エアフィルタ７及び空気清浄フィルタ８の脱着／清掃時の昇降着脱機構２０の動作について説明する。
【００３８】
ユーザーのリモコンの操作により駆動部１３のモータ１３Ａがゆっくりと作動し、駆動部１３の一対のピニオン１３Ｂを回転させ、それに噛み合う第２のフィルタ保持部１０Ａのラック１０ＡＢを介して、且つ、第２のフィルタ保持部１０Ａの係合部１０ＡＤが係合するガイド部１２のガイド１２Ｂの溝に添って、第２のフィルタ保持部１０Ａは降下する。
【００３９】
第２のフィルタ保持部１０Ａが降下すると共に、第２のフィルタ保持部１０Ａにガイドされた第１のフィルタ保持部１０Ｂは、駆動部１３のベルト１３Ｅにより誘導されて第２のフィルタ保持部１０Ａの下部に降下する。
【００４０】
上述したように第１のフィルタ保持部１０Ｂが降下すると共に、エアフィルタ７はガイド部１２のガイド１２Ａと第２のフィルタ保持部１０Ａに添って、第１のフィルタ保持部１０Ｂの保持部１０ＢＣに牽引されて降下する。
【００４１】
降下が終了するとユーザーは、エアフィルタ７をその中央部の穴７Ｅをを持って手前に引くことにより、保持部１０ＢＣのリブ１０ＢＤからエアフィルタ７のラッチ７Ｄを外して、ゆっくりと手前にエアフィルタ７を引きながらエアフィルタ７を脱着して清掃することができる。
【００４２】
その後ユーザーは、空気清浄フィルタ８を第１のフィルタ保持部１０Ｂの爪１０ＢＴを外して脱着／清掃する。
【００４３】
又、エアフィルタ７を取出すときは、エアフィルタ７に塵埃が付着しているので、振動や衝撃等を与えると付着している塵埃が室内に舞上がってしまう不都合があるが、上述したように、スムースな脱着ができるのでかかる不都合を防止することが可能になる。
【００４４】
清掃の終了したエアフィルタ７と空気清浄フィルタ８との空気調和機１への装着と収納は、上述した作業を逆に行えば良い。
【００４５】
エアフィルタ７と空気清浄フィルタ８との昇降着脱機構２０を上述したような構成にする事により、エアフィルタ７の表面積とその降下量を大きくすることができ、天井に近い室内壁に据付けられた室内機１でも、踏み台等を必要とせずに、安全、かつ、容易にエアフィルタ７を脱着／清掃することが可能になっている。
【００４６】
図４は、本発明の実施例を示す空気調和機のセンサー部３０の説明図である。図４（Ａ）は、センサー部３０の正面図を示し、図４（Ｂ）は、センサー部３０の右側面図を示している。
【００４７】
センサー部３０は、室温センサー３１と湿度センサー３２とセンサー固定部３３とで構成されている。
【００４８】
室温センサー３１は、センサー固定部３３のリブ３３Ａ，３３Ｂと爪３３Ｃ，３３Ｄとでそのリード線３２Ｂを着脱自在に固定されている。
【００４９】
湿度センサー３２は、センサー固定部３３のリブ３３Ｈ，３３Ｊと爪３３Ｋとでその測定部３２Ａとリード線３２Ｂとを着脱自在に固定されている。
【００５０】
そして、図３に示すように、センサー部３０は、昇降着脱機構２０のガイド部１２のセンサー部固定ガイド１２ＣＡに、センサー部３０のセンサー固定部３３のリブ３３Ｆが右側から挿入され着脱自在に固定されている。
【００５１】
この結果、センサー部３０は昇降着脱機構２０と共に空気調和機１に組立られるとともにセンサー部３０のリード線３１Ｂ，３２Ｂと昇降着脱機構２０のモータ１３Ａのリード線を纏めて配線できるので組立が容易になる。
【００５２】
又、センサー部３０は、熱交換器１６の前面右下部に設けられるので、空気の流通が良好で且つ送風ファン５が停止した場合の熱交換器１６の余熱にあぶられることもないので測定した値が信頼でき、しいては空気調和機１の制御性も改善されている。
【００５３】
更に、センサー部３０の部品交換時には、室内機１の前ケース部２Ａを外せば昇降着脱機構２０を固定したまま昇降着脱機構２０の右側面からセンサー部３０を外すことが可能でサービス性の良好な構造となっている。
【００５４】
上述したように、本実施例では、センサー部３０を室温センサー３１と湿度センサー３２とをリード線等で固定する構成としたが、室温センサー３１と湿度センサー３２とを実装した基板に着脱自在に保持する構成とすることも可能である。
【００５５】
なお、本発明は上述した実施例に限定されず、本発明の要旨を逸脱しない範囲で種々変形可能である。
【００５６】
【発明の効果】
以上に説明したように、請求項１にかかる発明によれば、後ケースと前ケースとから構成される室内機の前記前ケースに設けられた被調和室内の空気を取り込む吸込パネル、この空気に含まれる粉塵を取り除くエアフィルタ、このエアフィルタを着脱自在に保持すると共に将校自在に駆動する昇降着脱機構、エアフィルタで粉塵を除去された空気を調温／調湿する熱交換器、この調温／調湿された空気を被調和室へ吹出口を介して供給する送風ファンを備えた空気調和機において、前記昇降着脱機構を前記後ケースへと固定し、前記熱交換器の前面に並行に設けられた前記昇降着脱機構のガイド部の裏面にエアフィルタからの空気の温度等を検出するセンサー部を着脱自在に備えることにより、エアフィルタを安全、容易に清掃できるようにする昇降着脱機構を備えると共にこの昇降着脱機構に制御性の良いセンサー部を備えた空気調和機を提供することができる。
【００５７】
請求項２にかかる発明によれば、センサー部は、室温センサーを着脱自在に備えることにより、組立性に優れ、且つ制御性の良い室温センサーを備えた空気調和機を提供することができる。
【００５８】
請求項３にかかる発明によれば、センサー部は、室温センサーと湿度センサーとを着脱自在に備えることにより、組立性に優れ、且つ制御性の良い室温センサーと湿度センサーとを備えた空気調和機を提供することができる。
【００５９】
請求項４にかかる発明によれば、センサー部は、室温センサーを搭載した基板を着脱自在に備えることにより、組立性に優れ、且つ制御性の良い室温センサーを備えた空気調和機を提供することができる。
【００６０】
請求項５にかかる発明によれば、センサー部は、室温センサーと湿度センサーとを搭載した基板を着脱自在に備えることにより、組立性に優れ、且つ制御性の良い室温センサーと湿度センサーとを備えた空気調和機を提供することができる。
【図面の簡単な説明】
【図１】本発明の実施例を示す空気調和機の略中央断面の説明図である。
【図２】本発明の実施例を示す空気調和機の斜視説明図である。
【図３】本発明の実施例を示す空気調和機の昇降着脱機構の正面説明図である。
【図４】本発明の実施例を示す空気調和機のセンサー部の説明図である。
【符号の説明】
１    室内機
２Ｂ  吸込パネル
４    熱交換器
５    送風ファン
７    エアフィルタ
８    空気清浄フィルタ
１０  フィルタ保持部
１２  ガイド部
１３  駆動部
２０  昇降着脱機構
３０  センサー部
【図１】
0004386544.tif 000002
【図２】
0004386544.tif 000003
【図３】
0004386544.tif 000004
【図４】
0004386544.tif 000005